(57)【特許請求の範囲】
【請求項１】
板状の蓋本体を備え、浴槽のフランジ部の内周縁下方に形成された平坦な部分を有するフランジ段部に載せる風呂蓋であって、
前記フランジ段部は内周縁で低くなる傾斜を有しており、
前記蓋本体は、芯材、該芯材の一面側を覆うクッション材、および前記フランジ段部に接触する周縁部に前記クッション材の周縁部分を覆う被覆部を有し、
前記一面側において、前記蓋本体の中央側が前記一面側へ張り出すように前記被覆部の外面に形成された平坦面を有し、
前記平坦面に連続する前記中央側の前記クッション材の外面が、該中央側で前記一面側へ張り出すように形成されており、
前記被覆部は前記クッション材よりも硬質であることを特徴とする風呂蓋。
【請求項２】
前記平坦面は、前記フランジ段部に当接して変形することで、前記フランジ段部との接触面積が大きくなることを特徴とする請求項１に記載の風呂蓋。
【請求項３】
請求項１または２に記載の風呂蓋と、
前記フランジ段部を有する浴槽と、を備えることを特徴とする浴槽装置。
【発明の詳細な説明】
【技術分野】
【０００１】
本発明は、浴槽の上に載せる風呂蓋、並びに、風呂蓋および浴槽を有する浴槽装置に関する。
【背景技術】
【０００２】
風呂蓋は、保温性を高めるべく発泡樹脂等の断熱素材からなる芯材を有する蓋本体と、蓋本体の両面の縁部および外周端面を覆って補強する被覆部とから構成されている。また、浴槽は、浴槽本体と、浴槽上部のフランジ部とから構成されている。浴槽装置は、浴槽のフランジ部に風呂蓋を載せ、浴槽に溜めた湯を保温する。
【０００３】
例えば、特許文献１には、断熱性の芯材を有する蓋本体と、周縁部とを備え、蓋本体が周縁部から一段低い段部を有する風呂蓋が開示されている。風呂蓋は、周縁部を浴槽のユランジ部に載せたときに、段部で浴槽に嵌合する。
【先行技術文献】
【特許文献】
【０００４】
【特許文献１】実開平５−７４３８８号公報
【発明の概要】
【発明が解決しようとする課題】
【０００５】
しかしながら、特許文献１に記載の風呂蓋は、周縁部が板状をなし、断熱性の芯材を有していないため、浴槽のフランジ部から周縁部を通して熱が逃げて保温性が低下するという問題点があった。
【０００６】
ところで、フランジ部の内周縁下方に平坦な部分を有するフランジ段部が形成された浴槽に載せる風呂蓋について、浴槽に溜められた湯の保温性を高めるための構成が検討されていないという問題点もあった。
【０００７】
本発明は、斯かる事情に鑑みてなされたものであり、その目的とするところは、浴槽のフランジ部の内周縁下方に形成された平坦な部分を有するフランジ段部に載せられ、浴槽に溜めた湯の保温性が高い風呂蓋、および浴槽装置を提供することにある。
【課題を解決するための手段】
【０００８】
本発明に係る風呂蓋は、板状の蓋本体を備え、浴槽のフランジ部の内周縁下方に形成された平坦な部分を有するフランジ段部に載せる風呂蓋であって、前記フランジ段部は内周縁で低くなる傾斜を有しており、前記蓋本体は、前記フランジ段部に接触する周縁部を有し、前記周縁部は、前記蓋本体の一面側に、前記蓋本体の中央側が前記一面側へ張り出すように形成された平坦面を有することを特徴とする。
【０００９】
本発明にあっては、風呂蓋は、浴槽のフランジ段部に接触する周縁部にて蓋本体の一面側に平坦面を有し、該平坦面が蓋本体の中央側が一面側へ張り出すように形成されているので、浴槽に溜めた湯の保温性が高くなる。
【発明の効果】
【００１０】
本発明によれば、風呂蓋は、浴槽のフランジ段部に接触する周縁部にて蓋本体の一面側に平坦面を有し、該平坦面が蓋本体の中央側が一面側へ張り出すように形成されているので、浴槽に溜めた湯の保温性を高くすることができる。
【図面の簡単な説明】
【００１１】
【図１】実施形態に係る浴槽装置の使用状態を示す斜視図である。
【図２】実施形態に係る浴槽装置の長手方向の縦断面図である。
【図３】実施形態に係る浴槽の外観を示す斜視図である。
【図４】実施形態に係る風呂蓋の外観を示す斜視図である。
【図５】図２の風呂蓋の周縁部におけるＸ部分の断面図である。
【図６】変形例に係る風呂蓋の周縁部における図５と同様の断面図である。
【図７】別の変形例に係る風呂蓋の周縁部における図５と同様の断面図である。
【図８】別の変形例に係る風呂蓋の周縁部における図５と同様の断面図である。
【図９】別の変形例に係る風呂蓋の周縁部における図５と同様の断面図である。
【図１０】別の変形例に係る風呂蓋の周縁部における図５と同様の断面図である。
【発明を実施するための形態】
【００１２】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
図１は本発明の実施形態に係る浴槽装置１２０の使用状態を示す斜視図、図２は本発明の実施形態に係る浴槽装置１２０の長手方向の縦断面図、図３は本発明の実施形態に係る浴槽１１０の外観を示す斜視図、図４は実施形態に係る風呂蓋１００の外観を示す斜視図である。尚、図２は後述する風呂蓋１００のクッション材１４を下側に向けた状態を、図４はクッション材１４を上側に向けた状態を表している。風呂蓋１００は、浴槽１１０の上部に載せられ、図示しない他の風呂蓋とともに浴槽１１０に溜めた湯を保温する。風呂蓋１００は、湯の保温以外にユーザが着座したり、浴槽１１０内にユーザが浸かった状態などでテーブル代わりとしても使用される。
【００１４】
浴槽１１０は、湯を溜める浴槽本体１１１を有し、上部のフランジ部１１２の内周縁下方にフランジ部１１２から１段下がったフランジ段部１１４が周状に設けられている。フランジ段部１１４は、平坦部分３４を有し、水平面４（図５参照）から０度より大きく３度以下の角度により内周縁で低くなる傾斜を有している。
【００１５】
風呂蓋１００は、浴槽１１０のフランジ段部１１４に載せられる。風呂蓋１００は、洗い場に設けられたカウンター１１６とほぼ同じ高さにあり、浴槽１１０の長手方向の端部１１５に寄せて位置させた状態で、ユーザが風呂蓋１００およびカウンター１１６間を移乗して動作するのに適する。
【００１６】
風呂蓋１００は、矩形板状をなす蓋本体１を備え、蓋本体１の周縁部２で浴槽１１０のフランジ段部１１４の平坦部分３４に接触する。蓋本体１は、芯材１１、表面材１２及び１３、並びにクッション材１４を有する。芯材１１は、発泡ポリスチレン等の発泡樹脂製であり、浴槽１１０に溜めた湯の保温性を高めるため適度な厚みを有する矩形板状をなす。表面材１２は、ガラス繊維に合成樹脂を含浸した繊維強化樹脂（ＦＲＰ）の薄板であり、芯材１１の厚み方向の一面側を覆う。表面材１３は、ガラス繊維に合成樹脂を含浸した繊維強化樹脂（ＦＲＰ）の薄板の表面に保護膜としてポリプロピレン製シートを貼り付けてあり、芯材１１の厚み方向の他面側を覆う。ポリプロピレン製シートは、例えば革シボ調の表面加工を施し、意匠性を高めてある。
【００１７】
クッション材１４は発泡ポリエチレン等の発泡樹脂製であり、芯材１１の一面側を覆うように設けられている。クッション材１４は、縁部において、長辺１辺に沿う隆起部１４ａおよび短辺２辺に沿う隆起部１４ｂを有する。隆起部１４ａおよび１４ｂは連続している。クッション材１４は、隆起部１４ａを設けた長辺に対向する長辺の縁部においては、隆起部分を有しない。クッション材１４表面の隆起は、全体としてＣ字状をなす。隆起部１４ａおよび１４ｂは、視覚的に着座の方向性を示すとともに、ユーザの座り心地を良くしている。尚、クッション材１４は、例えば革シボ調の表面加工を施し、意匠性を高めてある。
【００１８】
周縁部２は、風呂蓋１００の短辺２辺に沿って延びる被覆部２１、風呂蓋１００の長辺１辺に沿って延びる被覆部２２、該長辺に対向する長辺１辺に沿って延びる被覆部２３を有する。
【００１９】
図５は、図２の風呂蓋１００の周縁部２におけるＸ部分の断面図である。以下、一方の短辺側の被覆部２１を有する周縁部２の部分について説明するが、他の短辺側の被覆部２１を有する周縁部２の部分、並びに被覆部２２および２３を有する周縁部２の部分についても同様に構成することができ、これらの部分については記載の簡潔化のため説明を省略する。
【００２０】
被覆部２１は、第１部分２１ａ、第２部分２１ｂ、および端面被覆部２１ｃを有する。端面被覆部２１ｃは、蓋本体１の厚み方向の幅を有して蓋本体１の短辺に沿って延びる板状をなし、蓋本体１の外周端面を覆う。
【００２１】
第１部分２１ａは、端面被覆部２１ｃにおける蓋本体１の厚み方向の一端から蓋本体１の内向きに屈曲し、蓋本体１の短辺に沿って延びる板状をなし、蓋本体１のクッション材１４表面の縁部を覆う。また、第２部分２１ｂは、端面被覆部２１ｃにおける蓋本体１の厚み方向の他端から蓋本体１の内向きに屈曲し、蓋本体１の短辺に沿って延びる板状をなし、蓋本体１の表面材１３表面の縁部を覆う。図５に示す断面において、第１部分２１ａにおける端面被覆部２１ｃの一端に連なる基端部から先端部までの寸法は、第２部分２１ｂにおける端面被覆部２１ｃの他端に連なる基端部から先端部までの寸法よりも大きい。
【００２２】
被覆部２１は、第１部分２１ａにおいて、蓋本体１のクッション材１４を設けた一面側の外面に平坦面２１ｄが形成されている。平坦面２１ｄは、蓋本体１の中央側が蓋本体１のクッション材１４を設けた一面側へ張り出すように傾斜している。図５に示す平坦面２１ｄは、傾斜の角度がフランジ段部１１４の平坦部分３４より大きくなるように表している。このため、第１部分２１ａは、先端部で平坦部分３４に接触し、平坦面２１ｄとフランジ段部１１４との間に僅かな隙間３１が生じることになるが、平坦面２１ｄの傾斜角度を平坦部分３４の傾斜角度と同一とすることで、面同士が接触し、隙間３１が無くなる。
【００２３】
被覆部２１の第１部分２１ａ、第２部分２１ｂおよび端面被覆部２１ｃは、例えばオレフィン系エラストマーで構成し、含有するポリプロピレンの量によって、各部位の用途に応じた硬度とする。第１部分２１ａの硬度は、第２部分２１ｂの硬度よりも高くする。具体的には、第１部分２１ａは、ＪＩＳ  Ｋ６２５３に従うショアＡ硬度を９０以上とし、第２部分２１ｂは、ＪＩＳ  Ｋ６２５３に従うショアＡ硬度を８０以上９０未満とする。端面被覆部２１ｃの硬度は、第１部分２１ａの硬度と同じとする。
【００２４】
被覆部２１の第１部分２１ａ、第２部分２１ｂおよび端面被覆部２１ｃは、押出しまたは射出により一体成形するか、若しくはそれぞれ別体で成形したものを接着剤で貼り合わせてもよい。また、部分的に組み合わせた成形品を接着剤で貼り合わせるようにしてもよい。
【００２５】
次に、風呂蓋１００および浴槽装置１２０の動作について説明する。風呂蓋１００にユーザが着座して使用する場合、風呂蓋１００は、クッション材１４側を上にして浴槽１１０のフランジ段部１１４に載せる。クッション材１４は、ユーザが風呂蓋１００に着座したときに、適度な反発力で体重を支え、長時間の着座を可能にする。また、蓋本体１は、芯材１１の厚み方向の両面を繊維強化樹脂製の表面材１２および１３で覆っているので、強度が高く、ユーザの体重に耐える。
【００２６】
クッション材１４の隆起部１４ａおよび１４ｂは、上述のとおり、全体としてＣ字状をなし、視覚的に着座の方向性を示す。即ち、隆起部１４ａおよび１４ｂは、隆起部１４ａを背中側にして着座することで、座り易くなる印象をユーザに与える。ユーザが隆起部１４ａを背中側にして着座したとき、大腿部は、縁部に沿って隆起のないクッション材１４の長辺に位置し、座り易い。
【００２７】
周縁部の被覆部２１において、第１部分２１ａにおける端面被覆部２１ｃの一端に連なる基端部から先端部までの寸法は、第２部分２１ｂにおける端面被覆部２１ｃの他端に連なる基端部から先端部までの寸法よりも大きい。これにより、第１部分２１ａは、クッション材１４の捲れの防止に適する。
【００２８】
また、風呂蓋１００は、テーブルとして使用する場合、表面材１３側を上にして浴槽１１０のフランジ段部１１４に載せる。図５に示すように、風呂蓋１００は、周縁部２における被覆部２１の第１部材２１ａがフランジ段部１１４に接触する。第１部材２１ａは、第２部材２１ｂよりも硬度が高いため、風呂蓋１００をフランジ段部１１４に載せた状態では表面が変形し難く、フランジ段部１１４の面に沿う方向に対してすべり易い。風呂蓋１００は、フランジ段部１１４の上ですべり易いので、ユーザがテーブルとして利用する際に、容易に手前に近づけたり、遠ざけたりすることが可能であり、利便性が良い。
【００２９】
また、風呂蓋１００は、他の風呂蓋とともに浴槽１１０の上面開口を塞ぎ、浴槽本体１１１に溜めた湯を保温する。風呂蓋１００は、両面どちら側を上にしても良いが、以下では、クッション材１４を下向きにして使用する場合について説明する。周縁部２の被覆部２１における第１部材２１ａの平坦面２１ｄとフランジ段部１１４の平坦部分３４とが密着することで浴槽本体１１１に溜めた湯の保温性が高くなる。図５に示すように、平坦面２１ｄの傾斜角度が平坦部分３４と異なることで、僅かな隙間３１が生じるが、隙間３１に水が溜まることで密閉性が高まり、浴槽本体１１１に溜めた湯の保温性が高くなる。
【００３０】
隙間３１には、浴室内の水蒸気が凝結してフランジ部１１２等で水滴となり、フランジ段部１１４へ下降して水が溜まる。また、浴槽本体１１１に溜めた湯から発生する水蒸気が、第１部分２１ａの先端部とフランジ段部１１４との接触部分の僅かな隙間から外部側、即ち隙間３１側へ漏れ出し、凝結して水になり、隙間３１に溜まる。平坦面２１ｄおよびフランジ段部１１４の両面で水に張力が発生するので、隙間３１には水が溜まり易い。隙間３１に水が溜まることで風呂蓋１００とフランジ段部１１４との間の密閉性が高まり、浴槽本体１１１に溜めた湯から発生する水蒸気が外部側へ漏れにくくなるので、浴槽本体１１１に溜めた湯の保温性が高くなる。また、隙間３１の上方は、保温性のある芯材１１で覆われているので、フランジ段部１１４から上方へ熱が逃げにくく、保温性が高くなる。
【００３１】
また、平坦面２１ｄは、蓋本体１の中央側が蓋本体１のクッション材１４を設けた一面側へ張り出すように傾斜している。風呂蓋１００は、蓋本体１の周縁部２において、蓋本体１の一面側へ張り出すような形状を有していても、平坦面２１ｄによってフランジ段部１１４との密閉性を高めることができ、浴槽本体１１１に溜めた湯の保温性が高くなる。
【００３２】
クッション材１４の隆起部１４ｂは、平坦面２１ｄに連続する蓋本体１の中央側の外面を形成する。隆起部１４ｂは、縁部に対して蓋本体１の中央側が、蓋本体１の一面側へ張り出している。隆起部１４ｂは、張り出した部分がフランジ段部１１４の内周縁に当接することで、風呂蓋１００は水平方向の移動を規制するとともに、風呂蓋１００とフランジ段部１１４による密閉性を高める。平坦面２１ｄが、フランジ段部１１４の内周縁よりさらに蓋本体１の中央側へ延びるように形成してもよい。平坦面２１ｄが、蓋本体１の中央側で一面側へ張り出すように形成されていることにより、風呂蓋１００は水平方向の移動を規制し、風呂蓋１００とフランジ段部１１４による密閉性を高める。
【００３３】
周縁部２の被覆部２１において、第１部分２１ａの硬度をＪＩＳ  Ｋ６２５３に従うショアＡ硬度を９０以上とすることによって、フランジ段部１１４で風呂蓋１００がすべり易くなる。更に、第１部分２１ａは、手指の爪等が当たったときに表面に傷がつき難く、クッション材１４の捲れを防止する。端面被覆部２１ｃの硬度を第１部分２１ａの硬度と同じとすることにより、端面被覆部２１ｃに手指の爪等が当たったとき表面への傷がつき難く、風呂蓋１００を縦置きしたときに相手側と接触する部分での傷もつき難くなる。
【００３４】
また、第２部分２１ｂは、ＪＩＳ  Ｋ６２５３に従うショアＡ硬度を８０以上９０未満とすることによって、フランジ段部１１４で風呂蓋１００がすべり難くなる。第２部分２１ｂは、８０以上のショアＡ硬度にすることで、フランジ段部１１４と擦れて生じる摩耗、および腐食によって生じる材質の劣化が防止される。
【００３５】
図６は、変形例に係る風呂蓋１００の周縁部２における図５と同様の断面図である。この変形例に係る風呂蓋１００は、周縁部２における被覆部２１の平坦面２１ｄは、フランジ段部１１４の平坦部分３４と平行であって面接触する。平坦面２１ｄは、風呂蓋１００をフランジ段部１１４に載せたときに、第１部分２１ａが風呂蓋１００の自重で変形し、フランジ段部１１４の平坦部分３４と平行となって面接触するようにしてもよい。
【００３６】
風呂蓋１００は、平坦面２１ｄがフランジ段部１１４の平坦部分３４に面接触することにより、密着性が高まり、浴槽本体１１１に溜めた湯の保温性が高くなる。また、フランジ段部１１４の上方は、保温性のある芯材１１で覆われているので、フランジ段部１１４から上方へ熱が逃げにくく、保温性が高くなる。
【００３７】
図７は、別の変形例に係る風呂蓋１００の周縁部２における図５と同様の断面図である。この変形例に係る風呂蓋１００では、周縁部２における被覆部２１は、クッション材１４の外周端面を覆うが、クッション材１４表面の縁部を覆っていない。平坦面１４ｄは、蓋本体１の周縁部２におけるクッション材１４の周縁部分の外面に形成されている。平坦面１４ｄは、蓋本体１の中央側が蓋本体１のクッション材１４を設けた一面側へ張り出すように傾斜している。図７に示す平坦面１４ｄは、傾斜の角度がフランジ段部１１４の平坦部分３４より大きくなるように表している。このため、平坦面１４ｄとフランジ段部１１４との間に僅かな隙間３１を生じることになるが、平坦面２１ｄの傾斜角度を平坦部分３４の傾斜角度と同一とすることで、面同士が接触し、隙間３１が無くなる。
【００３８】
平坦面１４ｄとフランジ段部１１４の平坦部分３４とが密着することで浴槽本体１１１に溜めた湯の保温性が高くなる。図７に示すように、平坦面１４ｄの傾斜角度が平坦部分３４と異なることで、僅かな隙間３１が生じるが、隙間３１に水が溜まることで密閉性が高まり、浴槽本体１１１に溜めた湯の保温性が高くなる。隙間３１には、浴室内の水蒸気が凝結してフランジ部１１２等で水滴となり、フランジ段部１１４へ下降して水が溜まる。また、浴槽本体１１１に溜めた湯から発生する水蒸気が、クッション材１４とフランジ段部１１４との接触部分の僅かな隙間から外部側、即ち隙間３１側へ漏れ出し、凝結して水になり、隙間３１に溜まる。平坦面１４ｄおよびフランジ段部１１４の両面で水に張力が発生するので、隙間３１には水が溜まり易い。隙間３１に水が溜まることで風呂蓋１００とフランジ段部１１４との間の密閉性が高まり、浴槽本体１１１に溜めた湯の保温性が高くなる。
【００３９】
また、隙間３１の上方は、保温性のある芯材１１で覆われているので、フランジ段部１１４から上方へ熱が逃げにくく、保温性が高くなる。
【００４０】
図８は、別の変形例に係る風呂蓋１００の周縁部２における図５と同様の断面図である。この変形例に係る風呂蓋１００は、平坦面１４ｄが蓋本体１の周縁部２におけるクッション材１４の周縁部分の外面に形成されている。平坦面１４ｄは、フランジ段部１１４の平坦部分３４と平行であって面接触する。平坦面１４ｄは、風呂蓋１００をフランジ段部１１４に載せたときに、クッション材１４が風呂蓋１００の自重で変形し、フランジ段部１１４の平坦部分３４と平行となって面接触するようにしてもよい。
【００４１】
風呂蓋１００は、平坦面１４ｄがフランジ段部１１４の平坦部分３４に面接触することにより、密着性が高まり、浴槽本体１１１に溜めた湯の保温性が高くなる。また、フランジ段部１１４の上方は、保温性のある芯材１１で覆われているので、フランジ段部１１４から上方へ熱が逃げにくく、保温性が高くなる。
【００４２】
図９は、別の変形例に係る風呂蓋１００の周縁部２における図５と同様の断面図である。この変形例に係る風呂蓋１００は、蓋本体１がクッション材１４を有していない。平坦面２１ｄは、表面材１２を覆う周縁部２における第１部分２１ａの外面に形成されている。平坦面２１ｄは、フランジ段部１１４の平坦部分３４とほぼ平行であって面接触する。
【００４３】
風呂蓋１００は、平坦面２１ｄがフランジ段部１１４の平坦部分３４に面接触することにより、密着性が高まり、浴槽本体１１１に溜めた湯の保温性が高くなる。また、フランジ段部１１４の上方は、保温性のある芯材１１で覆われているので、フランジ段部１１４から上方へ熱が逃げにくく、保温性が高くなる。
【００４４】
フランジ段部１１４の平坦部分３４が内周縁で低くなる傾斜を有しているために、平坦面２１ｄとフランジ段部１１４との間に僅かな隙間がある場合でも、平坦面２１ｄおよびフランジ段部１１４の両面で水に張力が発生するので、隙間に水が溜まり易く、密閉性が高くなる。
【００４５】
図１０は、別の変形例に係る風呂蓋１００の周縁部２における図５と同様の断面図である。この変形例に係る風呂蓋１００は、平坦面１２ｄが蓋本体１の周縁部２における表面材１２の周縁部分の外面に形成されている。平坦面１２ｄは、フランジ段部１１４の平坦部分３４とほぼ平行であって面接触する。尚、風呂蓋１００の芯材１１、表面材１２および表面材１３の全てがクッション材で形成されている場合、平坦面１２ｄに相当する平坦面は、クッション材の周縁部分の外面に形成されることになる。
【００４６】
風呂蓋１００は、平坦面１２ｄがフランジ段部１１４の平坦部分３４に面接触することにより、密着性が高まり、浴槽本体１１１に溜めた湯の保温性が高くなる。また、フランジ段部１１４の上方は、保温性のある芯材１１で覆われているので、フランジ段部１１４から上方へ熱が逃げにくく、保温性が高くなる。
【００４７】
フランジ段部１１４の平坦部分３４が内周縁で低くなる傾斜を有しているために、平坦面１２ｄとフランジ段部１１４の間に僅かな隙間がある場合でも、平坦面１２ｄおよびフランジ段部１１４の両面で水に張力が発生するので、隙間に水が溜まり易く、密閉性が高くなる。
【００４８】
次に、風呂蓋１００および浴槽装置１２０の特徴を説明する。
本発明の実施形態の風呂蓋１００は、板状の蓋本体１を備え、浴槽１１０のフランジ部１１２の内周縁下方に形成された平坦部分３４を有するフランジ段部１１４に載せられる。フランジ段部１１４は内周縁で低くなる形成を有している。蓋本体１は、フランジ段部１１４に接触する周縁部２を有する。風呂蓋１００は、周縁部２が蓋本体１の一面側に平坦面２１ｄを有し、平坦面２１ｄが蓋本体１の中央側が一面側へ張り出すように形成されているので、フランジ段部１１４との密着性が高くなり、浴槽本体１１１に溜めた湯の保温性が高くなる。
【００４９】
また、風呂蓋１００は、平坦面２１ｄに連続する蓋本体１の中央側の外面であるクッション材１４の隆起部１４ｂの表面が、該中央側で蓋本体１の一面側へ張り出すように形成されている。隆起部１４ｂは、張り出した部分がフランジ段部１１４の内周縁に当接することで、風呂蓋１００は水平方向の移動を規制するとともに、風呂蓋１００とフランジ段部１１４による密閉性を高める。
【００５０】
また、風呂蓋１００は、平坦面２１ｄがフランジ段部１１４に当接して変形することで、フランジ段部１１４との接触面積が大きくなるので、浴槽本体１１１に溜めた湯の保温性がより高くなる。
【００５１】
また、風呂蓋１００の蓋本体１は、芯材１１、および芯材１１の一面側を覆うクッション材１４を有する。風呂蓋１００は、平坦面１４ｄがクッション材１４の周縁部分の外面に形成されている。これにより、蓋本体１がクッション材１４を有する場合にも、クッション材１４の周縁部分の外面に形成されている平坦面１４ｄにより、フランジ段部１１４との密閉性が高くなり、浴槽本体１１１に溜めた湯の保温性が高くなる。
【００５２】
また、風呂蓋１００の蓋本体１は、芯材１１、および芯材１１の一面側を覆うクッション材１４を有する。風呂蓋１００は、周縁部２がクッション材１４の周縁部分を覆う被覆部２１を有する。風呂蓋１００は、平坦面２１ｄが被覆部２１の外面に形成されている。これにより、被覆部２１によってクッション材１４の周縁部分の捲れを押さえるとともに、平坦面２１ｄによって、フランジ段部１１４との密閉性が高くなり、浴槽本体１１１に溜めた湯の保温性が高くなる。
【００５３】
また、浴槽装置１２０は、上述の特徴を有する風呂蓋１００と、フランジ部１１２の内周縁下方に形成された平坦なフランジ段部１１４を有する浴槽１１０とを備えるので、周縁部２とフランジ段部１１４との密閉性が高くなり、浴槽本体１１１に溜めた湯の保温性が高くなる。
【００５４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５５】
１  蓋本体、  １１  芯材、  １２ｄ  平坦面、  １４  クッション材、
１４ｄ  平坦面、  ２  周縁部、  ２１，２２，２３  被覆部、  ２１ｄ  平坦面、
１００  風呂蓋、  １１０  浴槽、  １１２  フランジ部、  １１４  フランジ段部、
１２０  浴槽装置。
【図１】
0006654895.tif 000002
【図２】
0006654895.tif 000003
【図３】
0006654895.tif 000004
【図４】
0006654895.tif 000005
【図５】
0006654895.tif 000006
【図６】
0006654895.tif 000007
【図７】
0006654895.tif 000008
【図８】
0006654895.tif 000009
【図９】
0006654895.tif 000010
【図１０】
0006654895.tif 000011